(57)【要約】【課題】デザインの要請から受ける制約の中で、家具本体の外観を損なうことなく脚部付属品を取り付け可能な取付用金具などを提供することを目的とする。【解決手段】取付用金具７では、アジャスタ取付部８が、アジャスタボルトを螺合可能な取付用孔８ａを有し、このアジャスタ取付部８と一体に設けられた固定部９が、取付用孔８ａの軸方向に対して直交する向きに穿設された固定用孔９ａを有している。このため、取付用金具７は、下端面に対して垂直な接合面を有する一対の脚片体を組み合わせたときに当該取付用金具７を収納させるための収納用孔が形成されるように、両方の脚片体の接合面に凹部が設けられていれば、固定部９を介して一方の脚片体の接合面に固設することができる。【選択図】図６
0003138591.tif 000002
【実用新案登録請求の範囲】
【請求項１】
下端面が二分されるように竹割り状に分割された一対の脚片体で構成される家具脚部に埋設され、該家具脚部の下端に脚部付属品を取り付けるための取付用金具であって、
前記脚部付属品に設けられたボルトを螺合可能なネジ孔を有する付属品取付部と、
前記付属品取付部と一体に設けられ、ネジ又は釘を挿通させるために、前記ネジ孔の軸方向に対して直交する向きに穿設された固定用孔を有する固定部と、
を備えることを特徴とする取付用金具。
【請求項２】
前記固定用孔は、前記ネジ又は釘の頭部が前記付属品取付部の外周面に対して内側に保持される径および深さの保持溝を有することを特徴とする請求項１に記載の取付用金具。
【請求項３】
下端面に対して垂直な接合面を有する一対の脚片体で構成される家具脚部の構造であって、
前記接合面に、一対の前記脚片体を組み合わせたときに請求項１または請求項２に記載の取付用金具を収納させるために、前記下端面に開口を有した収納用孔を形成する凹部が設けられていることを特徴とする家具脚部の構造。
【請求項４】
前記取付用金具は、前記収納用孔を形成する一方の前記凹部に固定されていることを特徴とする請求項３に記載の家具脚部の構造。
【請求項５】
前記収納用孔は、前記取付用金具を遊嵌する形状を有し、
前記凹部は、前記収納用孔が二等分された形状を有していることを特徴とする請求項３または請求項４に記載の家具脚部の構造。
【請求項６】
前記家具脚部を構成する一方の前記脚片体の前記接合面を第一接合面、前記脚本体を構成する他方の前記脚片体の前記接合面を第二接合面として、
前記第一接合面に設けられたスライドヘッドと、
前記第二接合面に設けられ、前記スライドヘッドを遊嵌するための遊嵌孔、及び、該スライドヘッドを前記接合面に対して水平方向に一対の前記脚片体の下端面が面一となる位置まで移動させるガイド部を有するスライドレールと、
を備えることを特徴とする請求項３ないし請求項５のいずれかに記載の家具脚部の構造。
【請求項７】
前記ガイド部は、一対の前記脚片体の下端面が面一となる位置に前記スライドヘッドを固持するように、前記遊嵌孔から移動するにつれて前記スライドヘッドとの密着度が高まるテーパ状に形成されていることを特徴とする請求項６に記載の家具脚部の構造。
【請求項８】
前記接合面を有するコの字型に形成された四つのコの字型部材を組み合わせることにより、請求項３ないし請求項７のいずれかに記載の家具脚部の構造を有する四本の脚本体が形成されるフレームであって、
前記家具脚部を構成する一方の前記脚片体の前記接合面を第一接合面、前記脚本体を構成する他方の前記脚片体の前記接合面を第二接合面として、
前記第一接合面を有する二つの前記脚片体が幕板によって互いに連結された二つの第一コの字型部材と、
前記第二接合面を有する二つの前記脚片体が幕板によって互いに連結された二つの第二コの字型部材と、
から形成されることを特徴とするフレーム。
【請求項９】
請求項８に記載のフレームと天板とからなるテーブルであって、
前記コの字型部材の幕板には、前記天板の端辺部に裏側から固定するための固定部材が、前記フレームの内側方向に突設されていることを特徴とするテーブル。
【請求項１０】
前記第一コの字型部材および前記第二コの字型部材の幕板と前記天板とが、三面に孔のあいた隅金具により、前記天板の裏面における四隅で内側から連結されていることを特徴とする請求項９に記載のテーブル。
【考案の詳細な説明】
【技術分野】
【０００１】
本考案は、アジャスタやキャスタ等を取り付けるための取付用金具、この取付用金具を備える家具脚部の構造、この家具脚部の構造を有するフレーム、及び、このフレームと天板とからなるテーブルに関する。
【背景技術】
【０００２】
従来より、テーブルや机、カウンタ、椅子、整理棚、ラック等の家具の脚部（以下、家具脚部という）において、この家具脚部の下端部分に、アジャスタやキャスタ等の脚部付属品を取り付けるための取付用金具が設けられたものが知られている。
【０００３】
この種の取付用金具としては、一般的に、ネジ孔を内部に有して脚部付属品を螺合するための付属品取付部と、付属品取付部の一方の端部から外方へ張出すフランジ部と、フランジ部に設けられて付属品取付部の他方の端部へ向く方向に延びる複数の爪部とを備える爪付きＴナットが用いられている（例えば、特許文献１参照）。つまり、フランジ部が家具脚部の下端面に打ち込まれることにより、爪部が下端面を挟持して、付属品取付部が家具脚部の内部に固設されるように構成されている。
【０００４】
このように構成された取付用金具は、例えば、接地面を有するアジャスタボルトを付属品取付部に螺合させれば、アジャスタボルトと付属品取付部とのねじ込み量が調節されることにより、家具本体の水平度の調節が可能となる。
【０００５】
ところで、家具は、輸送コストを抑制するために、分解および組み立て可能となる設計上の要請があると共に、近年では、デザインを損なわないようにするために、家具を構成するパーツの形状や組み立て方法に工夫がなされたものが提案されている。具体的には、家具脚部を含む脚本体が他のパーツと一体化したものや、この脚本体が複数のパーツの接合により組み立てられるものが考案されている。
【０００６】
このような脚本体の一例としては、家具の特徴的なデザイン（例えば、継目のライン）を考慮して、脚部付属品の取付面に対して垂直な接合面を有する二つの脚片体を組み付けることにより形成されるものがある。
【特許文献１】特開２００４−２４５２３４号公報
【考案の開示】
【考案が解決しようとする課題】
【０００７】
しかし、従来の取付用金具では、脚部付属品の取付面に対して垂直な接合面を有する二つの脚片体からなる脚本体に、予め固設しておくことが困難であるという問題があった。
具体的に言うと、取付用金具として一般的に用いられている爪付きＴナットは、脚本体における取付面に打ち込まれるように構成されているため、付属品取付部を両方の脚片体に同時に埋め込む必要があり、予め一方の脚片体に固定させておくことが困難であった。
【０００８】
このような事態を回避するために、付属品取付部を脚本体と同様に分割したものを、両方の脚片体の接合面に予め埋設しておくことが考えられるが、この場合、脚本体を組み付けた際にネジ孔がずれてしまうことがあるため、例えばアジャスタボルトを螺合できなくなる可能性が大きい。
【０００９】
本考案は、上記問題点を解決するために、デザインの要請から受ける制約の中で、家具本体の外観を損なうことなく脚部付属品を取り付け可能な取付用金具、この取付用金具を備える家具脚部の構造、この家具脚部の構造を有するフレーム、及び、このフレームと天板とからなるテーブルを提供することを目的とする。
【課題を解決するための手段】
【００１０】
上記目的を達成するためになされた請求項１に記載の取付用金具は、家具の脚部（以下、家具脚部という）に埋設され、この家具脚部の下端に脚部付属品（即ち、アジャスタ，キャスタ，継ぎ脚など）を取り付けるためのものであり、特に、下端面が二分されるように竹割り状に分割された一対の脚片体の接合面を合致させることで形成される家具脚部に用いられるものである。
【００１１】
具体的に言うと、本考案の取付用金具では、付属品取付部が、脚部付属品に設けられたボルトを螺合可能なネジ孔（以下、取付用孔という）を有し、この付属品取付部と一体に設けられた固定部が、取付用孔の軸方向に対して直交する向きに穿設されてネジ又は釘を挿通させるための固定用孔を有している。
【００１２】
つまり、本考案の取付用金具は、一対の脚片体を組み合わせたときに当該取付用金具を収納させるための空間（以下、収納用孔という）が形成されるように、両方の脚片体の接合面に凹部が設けられていれば、固定部を介して一方の脚片体の接合面に固設することにより、組立前であっても一方の脚片体と一体化した状態を保持させておくことが可能となるように構成されている。
【００１３】
さらに言えば、本考案の取付用金具は、取付用孔と固定用孔との軸方向が直交しているため、固定部が一方の凹部に固定されることにより、付属品取付部における取付用孔の軸方向を家具脚部の下端面に対して垂直に保持させることが可能となるように構成されている。
【００１４】
したがって、本考案の取付用金具によれば、一対の脚片体を組み合わせたときには家具脚部の内部に埋設されるため、ひいては、デザインの要請から受ける制約の中で、家具本体の外観を損なうことなく脚部付属品を取り付けることができる。
【００１５】
また、請求項２に記載のように、固定部における固定用孔は、ネジ又は釘の頭部が前記付属品取付部の外周面に対して内側に保持される径および深さの保持溝を有することが望ましい。
【００１６】
このように構成された取付用金具によれば、脚片体の凹部を、付属品取付部の外周面から突出する部分を考慮せずに単純な形状とすることが可能となるため、脚片体の接続面を容易に加工することができ、ひいては、製造コストを抑制することができる。
【００１７】
次に、第二の発明である請求項３に記載の家具脚部の構造は、当該家具脚部の下端面に対して垂直な接合面を有する一対の脚片体で構成されており、一対の脚片体を組み合わせたときに取付用金具を収納させるための収納用孔を形成する凹部が接合面に設けられている。なお、凹部は、接合面上で下端面から垂直方向に配設されている。
【００１８】
したがって、本考案の家具脚部の構造によれば、一対の脚片体を組み合わせたときに請求項１または請求項２に記載の取付用金具が収納用孔に収納され、ひいては、この取付用金具と組み合わせることにより、家具本体の外観を損なうことなく脚部付属品を取り付けることができる。
【００１９】
なお、請求項４に記載のように、当該家具脚部における収納用孔を形成する一方の凹部（即ち、一方の脚片体）に、予め取付用金具を固定しておくことにより、使用者の組み立て負担を軽減させることができる。
【００２０】
また、請求項５に記載のように、当該家具脚部における収納用孔は、取付用金具を遊嵌する形状を有していることが望ましい。但し、脚片体の接合面における凹部は、収納用孔が一対の脚片体の接合面に対して対称に分割された形状（即ち、収納用孔が二等分された形状）を有しているものとする。
【００２１】
このように構成された家具脚部の構造によれば、一対の凹部からなる収納用孔と取付用金具との間に、凹部および取付用金具における加工上の微少な誤差を吸収するアロアンスが確保され、一対の脚片体の接合面を合致させたときに、一方の脚片体側の凹部に固定された取付用金具によって、その接合面が浮いてしまうことを確実に防止することができる。
【００２２】
ところで、請求項６に記載のように、家具脚部を構成する一方の脚片体の接合面（以下、第一接合面という）にスライドヘッドが設けられ、家具脚部を構成する他方の脚片体の接合面（以下、第二接合面という）にスライドレールが設けられていることが望ましい。
【００２３】
なお、スライドレールは、スライドヘッドを遊嵌するための遊嵌孔と、スライドヘッドを接合面に対して水平方向に一対の脚片体の下端面が面一となる位置まで移動させるガイド部とを備えている。
【００２４】
このように構成された家具脚部の構造によれば、スライドヘッド及びスライドレールによって、一対の脚片体を容易に組み合わせることができる。
そして、請求項７に記載のように、スライドレールにおけるガイド部は、一対の脚片体の下端面が面一となる位置にスライドヘッドを固持するように、遊嵌孔から移動するにつれてスライドヘッドとの密着度が高まるテーパ状に形成されていることが望ましい。
【００２５】
このように構成された家具脚部の構造によれば、テーパ状に形成されたガイド部にスライドヘッドが固持されることによって、二つの脚片体の接合強度をさらに向上させることができる。
【００２６】
次に、第三の発明である請求項８に記載のフレームでは、接合面を有するコの字型に形成された四つのコの字型部材を組み合わせることにより、請求項３ないし請求項７のいずれかに記載の家具脚部の構造を有する四本の脚本体が形成されている。
【００２７】
具体的には、本考案のフレームは、第一接合面を有する二つの脚片体が幕板によって互いに連結された二つの第一コの字型部材と、第二接合面を有する二つの脚片体が幕板によって互いに連結された二つの第二コの字型部材とを備えている。
【００２８】
このように構成されたフレームによれば、第一コの字型部材および第二コの字型部材の接合面を合致させることにより表れる継目の位置が特定され、ひいては、予め継目の位置を計算してデザインを設計することができる。
【００２９】
次に、第四の発明である請求項９に記載のテーブルは、天板と請求項８に記載のフレームとから形成され、このフレームを構成するコの字型部材の幕板に、天板の端辺部に裏側から固定するための固定部材が、フレームの内側方向に突設されている。
【００３０】
このように構成されたテーブルによれば、フレームの内側方向に突設された固設部材によって、テーブル本体の外観を損なうことなくフレームと天板とを容易かつ確実に固定させることができる。
【００３１】
そして、請求項１０に記載のように、当該テーブルでは、第一コの字型部材および第二コの字型部材の幕板と天板とが、三面に孔のあいた隅金具により、天板の裏面における四隅で内側から連結されていることが望ましい。
【００３２】
このように構成されたテーブルによれば、第一コの字型部材および第二コの字型部材の幕板と天板とで形成される三面で隅金具をボルトにより締結した場合に、テーブル本体の外観を損なうことなくフレームと天板との接合強度をさらに向上させることができる。
【考案を実施するための最良の形態】
【００３３】
＜テーブルの構成＞
図１は、本考案を適用したテーブルの外観を表すと共にテーブルの構成を示す正面斜視図である。
【００３４】
図１に示すように、テーブル１は、長方形の板材からなる天板２と、天板２を支持するための四本の脚本体３および幕板４からなるフレーム５と、テーブル１を設置する床面に応じて天板２の水平度を調節するためのアジャスタ６と、アジャスタ６を取り付けるために脚本体３の下端部分に埋設された取付用金具７とを備えている。
【００３５】
このうち、脚本体３は、図２に示すように、正方形状の下端面３ａを有し、この対角線に沿って下端面３ａに対する垂直方向に二分された（即ち、竹割り状に分割された）一対の脚片体１６で構成され、この分割された面を接合面１１として一対の脚片体１６を組み合わせることにより形成されている。
【００３６】
また、アジャスタ６は、取付用金具７に螺合するためのネジ山を有するアジャスタボルト６ａと、床面に接地するための円板状の接地部材６ｂとからなる周知のものである。
＜フレームの構成＞
次に、図３は、テーブル１が組み立てられる様子を表すと共にフレーム５の構成を示す背面斜視図である。
【００３７】
なお、以下では、説明の便宜上、天板２の四辺を囲む部分を端辺部２０、この端辺部２０のうち、短手方向に沿った部分を短辺部２１、長手方向に沿った部分を長辺部２２として、四本の幕板４のうち、短辺部２１に組み付けられるものを短幕板４ａ、長辺部２２に組み付けられるものを長幕板４ｂとする。
【００３８】
また、脚本体３を構成する一方の脚片体１６の接合面１１を第一接合面１２、脚本体３を構成する他方の脚片体１６の接合面１１を第二接合面１３とする。
図３に示すように、フレーム５は、コの字型に形成された四つのコの字型部材１０を組み合わせることにより四本の脚本体３および幕板４を形成するように構成されている。
【００３９】
具体的に、これらのコの字型部材１０は、第一接合面１２を有する二本の脚片体１６が短幕板４ａによって互いに連結された二つの短コの字型部材１０ａと、第二接合面１３を有する二本の脚片体１６が長幕板４ｂによって互いに連結された二つの長コの字型部材１０ｂとから構成されている。なお、本実施形態では、幕板４（短幕板４ａ又は長幕板４ｂ）と二本の脚片体１６との繋ぎ目が、周知のフィンガージョイントにより連結されている。
【００４０】
このうち、短コの字型部材１０ａには、第一接合面１２における予め設定された位置に複数（本実施形態では二つ）のスライドヘッド（例えば、組み込みネジの頭部）２５がそれぞれ突設されている。
【００４１】
一方、長コの字型部材１０ｂの第二接合面１３には、第一接合面１２におけるスライドヘッド２５の位置に対応して、このスライドヘッド２５を摺動可能な複数（本実施形態では二つ）のスライドレール２６が設けられている。なお、スライドレール２６は、下端面３ａ側からスライドヘッド２５を差し込むように配設されている。
【００４２】
但し、図４（ａ）に示すように、長コの字型部材１０ｂの第二接合面１３には、スライドレール２６が収納される収納溝１３ａが形成されている。また、この収納溝１３ａは、短コの字型部材１０ａと長コの字型部材１０ｂとを組み合わせたときに、図４（ｂ）に示すように、スライドヘッド２５を収納すると共に接合面１１が合致する深さに設定されている。
【００４３】
なお、スライドレール２６は、図５に示すように、スライドヘッド２５を遊嵌する（即ち、差し込む）ための遊嵌孔２３と、スライドヘッド２５を接合面１１（第一接合面１２及び第二接合面１３）に対して水平方向に、脚本体３（短コの字型部材１０ａ及び長コの字型部材１０ｂ）の下端面３ａが面一となる位置まで移動させるガイド部２４とを備えている。
【００４４】
また、ガイド部２４は、遊嵌孔２３から離れるにつれて、スライドヘッド２５の移動方向に直交する向きの幅（即ち、横幅）が短くなるテーパ状に形成されている。つまり、ガイド部２４は、下端面３ａが面一となる位置にスライドヘッド２５を固持するために、遊嵌孔２３から移動するにつれてスライドヘッド２５との密着度が高まるように形成されている。
【００４５】
図３に戻り、短コの字型部材１０ａ及び長コの字型部材１０ｂの幕板４（短幕板４ａ及び長幕板４ｂ）には、天板２に固定するための複数（本実施形態では三つ）の固定部材３１が、これらのコの字型部材１０を組み合わせて形成されるフレーム５の内側方向に突設されている。
【００４６】
但し、固定部材３１は、ボルトを挿通するための挿通孔を有する直方体状に形成されており、ボルトの挿通方向の長さが幕板４の内側面（フレーム５の内側方向の面）における短手方向の長さに比べて小さくなるように設定され、天板２に当接可能となる位置に配置されている。なお、天板２には、短幕板４ａ及び長幕板４ｂに設けられた固定部材３１の挿通孔の位置に対応して、ボルトを螺合可能な複数（本実施形態では１２箇所）のネジ孔が設けられている。
【００４７】
さらに、短コの字型部材１０ａ及び長コの字型部材１０ｂの接合面１１（第一接合面１２及び第二接合面１３）には、一対の脚片体１６（短コの字型部材１０ａ及び長コの字型部材１０ｂ）を組み合わせたときに、脚本体３の下端部分に取付用金具７を収納するための収納用孔３ｂを形成する凹部１４が設けられている。なお、取付用金具７は、短コの字型部材１０ａの凹部１４に予め固定されている。
【００４８】
＜取付用金具の構成および固設構造＞
ここで、取付用金具７の構成、及び、取付用金具７が脚本体３の下端部分に固設される構造について詳しく説明する。
【００４９】
まず、図６は、取付用金具７の構成を示す概略図である。
図６に示すように、取付用金具７は、円筒の端部に丸みを帯びた砲弾状に形成されており、アジャスタボルト６ａを螺合可能なネジ孔（以下、取付用孔という）８ａを内部に有して円筒状に形成されたアジャスタ取付部８と、アジャスタ取付部８と一体に設けられて取付用孔８ａの軸方向に対して直交する向きに穿設された固定用孔９ａを有する固定部９とを備えている。
【００５０】
また、取付用金具７では、固定部９における固定用孔９ａに、ネジを挿通させるための挿通孔と共に、ネジの頭部（例えば、直径：７ｍｍ，高さ：２．５ｍｍ）がアジャスタ取付部８の外周面に対して内側に保持される径および深さ（例えば、直径：８ｍｍ，深さ：３ｍｍ）の保持溝が形成されている。つまり、取付用金具７は、固定用孔９ａにネジを挿通させたときに、ネジの頭部が突出することのないように形成されている。
【００５１】
次に、図７は、脚本体３における下端面３ａに平行な断面図である。
図７に示すように、コの字型部材１０の凹部１４は、収納用孔３ｂが下端面３ａに対して垂直に二等分された形状を有すると共に、取付用金具７における取付用孔８ａの軸方向に直交する面（即ち、断面）の半径（例えば、５ｍｍ）に比べて大きい深さ（例えば、５．５ｍｍ）を有している。
【００５２】
このようにして、コの字型部材１０の凹部１４には、収納用孔３ｂと取付用金具７との間に、加工上の微少な誤差を吸収するためのアロアンスが確保されている。つまり、コの字型部材１０の凹部１４は、図８に示すように、一対の脚片体１６のうち一方に固定部９を介してネジで取付用金具７が予め固定されている場合であっても、短コの字型部材１０ａ及び長コの字型部材１０ｂの接合面１１を合致させたときに、接合面１１が浮いてしまうことがないように設計されている。
【００５３】
＜テーブルの組み立て方法＞
図３に戻り、このように構成されたテーブル１を組み立てる際には、一方の短コの字型部材１０ａに設けられたスライドヘッド２５を、一対の長コの字型部材１０ｂに設けられたスライドレール２６に嵌合させ、短コの字型部材１０ａを下端面３ａが面一となる位置までスライドさせる。
【００５４】
他方のコの字型部材１０ａについても同様の作業を行うことによりフレーム５が組み立てられる。そして、このフレーム５（短コの字型部材１０ａ及び長コの字型部材１０ｂ）に設けられた複数の固定部材３１にワッシャーＷ１を介してボルトＢ１で天板２に締結させる。
【００５５】
最後に、図９に示すように、天板２の裏面における四隅で内側から、三面に孔（以下、三面孔という）のあいた隅金具３２を設置し、ワッシャーＷ２を介してボルトＢ２で締結させることによって、フレーム５の幕板４（短幕板４ａ及び長幕板４ｂ）と天板２との接続強度を上げる。なお、短幕板４ａ、長幕板４ｂ、及び天板２は、隅金具３２が設置される際の三面孔に対応する箇所にそれぞれネジ孔が設けられている。
【００５６】
＜本実施形態の効果＞
以上説明したように、取付用金具７では、アジャスタ取付部８が、アジャスタボルト６ａを螺合可能な取付用孔８ａを有し、このアジャスタ取付部８と一体に設けられた固定部９が、取付用孔８ａの軸方向に対して直交する向きに穿設された固定用孔９ａを有している。
【００５７】
このため、取付用金具７は、下端面３ａに対して垂直な接合面１１を有する一対の脚片体１６を組み合わせたときに当該取付用金具７を収納させるための収納用孔３ｂが形成されるように、両方の脚片体１６の接合面１１に凹部１４が設けられていれば、固定部９を介して一方の脚片体１６の接合面１１に固設することができる。
【００５８】
したがって、取付用金具７によれば、組立前であっても一方の脚片体１６と一体化した状態を保持させておくことが可能となるため、一対の脚片体１６を組み合わせたときには脚本体３の内部に埋設され、ひいては、デザインの要請から受ける中で、家具本体の外観を損なうことなくアジャスタ６を取り付けることができる。
【００５９】
また、テーブル１によれば、四つのコの字型部材１０と天板２とに分解（及び組立）可能な構成を有し、幕板４と二本の脚片体１６との繋ぎ目がフィンガージョイントにより連結されているため、接合強度を落とさずに済むと共に輸送コストを抑制することができる。
【００６０】
さらに、脚本体３によれば、正方形状の下端面３ａの対角線に沿って垂直方向に二分された一対の脚片体１６で構成されるため、この一対の脚片体１６を組み合わせることにより、二本の脚片体１６の継目がコーナーに形成され、視認性に優れたフレーム５を提供することができる。
【００６１】
［他の実施形態］
以上、本考案の一実施形態について説明したが、本考案は上記実施形態に限定されるものではなく、本考案の要旨を逸脱しない範囲において、様々な態様にて実施することが可能である。
【００６２】
例えば、上記実施形態では、取付用金具７がテーブル１のフレーム５で構成される脚本体３に適用されているが、テーブル１の他にも、机，カウンタ，椅子，整理棚，ラック等の家具の脚部であっても用いることができる。
【００６３】
また、取付用金具７によって取り付けられるものとしては、アジャスタ６に限らず、キャスタや継ぎ脚などであっても構わない。
さらに、上記実施形態の取付用金具７は、円筒の端部に丸みを帯びた砲弾状に形成されているが、その外周面はこれに限らず、断面が多角形を有する形状であっても構わない。
【００６４】
そして、取付用金具７における固定用孔９ａには、ネジの頭部がアジャスタ取付部８の外周面に対して内側に保持される径および深さの保持溝が形成されているが必ずしも必要なことではない。
【００６５】
例えば、一方の脚片体１６の凹部１４に、取付用金具７から突設されたネジの頭部を埋設するための溝を設けておけば、脚本体３における取付用金具７の接合強度を向上させることができる。
【００６６】
また、スライドレール２６におけるガイド部２４は、必ずしもスライドヘッド２５を固持するようにテーパ状に形成されている必要はなく、スライドヘッド２５の移動方向に沿って等間隔の横幅を有するものであってもよい。この場合、使用者にフレーム５の分解作業を容易に行わせることができる。
【図面の簡単な説明】
【００６７】
【図１】本考案を適用したテーブルの外観を表すと共にその構成を示す正面斜視図。
【図２】フレーム５における脚本体３の構成を示す概略図。
【図３】テーブル１が組み立てられる様子を表すと共に、本考案を適用したフレームの構成を示す背面斜視図。
【図４】短コの字型部材１０ａと長コの字型部材１０ｂとが組み合わされる状態を示す説明図。
【図５】スライドレール２６の構成を示す概略図。
【図６】本考案を適用した取付用金具の構成を示す概略図。
【図７】脚本体３を下端面３ａ側から眺めた概略図。
【図８】取付用金具７がコの字型部材１０の凹部１４に固定される状態を示す説明図。
【図９】フレーム５と天板２とが隅金具３２によって連結される状態を示す説明図。
【符号の説明】
【００６８】
１・・・テーブル、２・・・天板、３・・・脚本体、３ａ・・・下端面、３ｂ・・・収納用孔、４・・・幕板、５・・・フレーム、６・・・アジャスタ、６ａ・・・アジャスタボルト、７・・・取付用金具、８・・・アジャスタ取付部、８ａ・・・取付用孔、９・・・固定部、９ａ・・・固定用孔、１０・・・コの字型部材、１１・・・接合面、１４・・・凹部、１６・・・脚片体、２３・・・遊嵌孔、２４・・・ガイド部、２５・・・スライドヘッド、２６・・・スライドレール、３１・・・固定部材、３２・・・隅金具。
【図１】
0003138591.tif 000003
【図２】
0003138591.tif 000004
【図３】
0003138591.tif 000005
【図４】
0003138591.tif 000006
【図５】
0003138591.tif 000007
【図６】
0003138591.tif 000008
【図７】
0003138591.tif 000009
【図８】
0003138591.tif 000010
【図９】
0003138591.tif 000011